(57)【要約】【課題】ゴルフボールの打球時において、フェース部に生じる所定の振動モードの振動を軽減することができるゴルフクラブヘッドを提供すること。【解決手段】ゴルフクラブヘッド１００は、中空構造を有する。フェース部１１０の裏面には、周囲よりも質量が大きい質量部２００が設けられている。質量部２００は、フェース部１１０が所定の振動モードで振動した時の腹となる部分に設けられている。【選択図】図３
2012071111.tif 000002
【特許請求の範囲】
【請求項１】
中空構造を有するゴルフクラブヘッドであって、
フェース部の裏面において、ゴルフボールの打撃時に当該フェース部に生じる振動モードの振動の腹となる部分に、周囲よりも質量が大きい質量部が設けられている
ことを特徴とするゴルフクラブヘッド。
【請求項２】
前記フェース部において前記質量部の厚さが前記周囲の厚さよりも大きい
ことを特徴とする請求項１に記載のゴルフクラブヘッド。
【請求項３】
前記質量部は、
チタンを鍛造法又は鋳造法により加工したものであり、５．５ｍｍ以上の厚さを有する
ことを特徴とする請求項２に記載のゴルフクラブヘッド。
【請求項４】
前記質量部は、
前記フェース部の裏面において、前記フェース部に生じる前記振動モードの振動の複数の腹となる部分の各々に設けられている
ことを特徴とする請求項１〜３のいずれかに記載のゴルフクラブヘッド。
【請求項５】
前記フェース部の裏面において、
前記フェース部の中心から、半径が２５ｍｍの円形の領域を第１の領域とし、
前記フェース部の裏面にリブが設けられ、
前記質量部は、
前記リブが設けられている位置では当該リブの上に設けられており、
前記リブは、
前記フェース部の裏面の中央部にある部分と、
前記中央部と前記第１の領域外にあるトウ側の領域とに渡ってトウ・ヒール方向に延伸する部分と、
前記中央部と前記第１の領域外にあるヒール側の領域とに渡ってトウ・ヒール方向に延伸する部分と、
前記中央部と前記第１の領域外にあるクラウン側かつトウ側の領域とに渡って延伸する部分と、
前記中央部と前記第１の領域外にあるクラウン側かつヒール側の領域とに渡って延伸する部分と、
前記第１の領域外にある領域のうち、トウ側の領域でクラウン・ソール方向に延伸する部分と、
前記第１の領域外にある領域のうち、ヒール側の領域でクラウン・ソール方向に延伸する部分と
を有し、
前記中央部と前記第１の領域外にあるクラウン側領域とに渡ってクラウン・ソール方向に延伸する部分と、
前記中央部と前記第１の領域外にあるソール側領域とに渡ってトウ・ヒール方向に角度をなす方向に延伸する部分と
を有しない
ことを特徴とする請求項１〜４のいずれかに記載のゴルフクラブヘッド。
【発明の詳細な説明】
【技術分野】
【０００１】
本発明は、ゴルフクラブヘッドに関する。
【背景技術】
【０００２】
ゴルフクラブヘッドのフェース部における反発能力の分布を均一化させる事を主目的として、フェース部の裏面に厚肉部や薄肉部を設ける手法が用いられている。例えば、特許文献１には、フェース部の裏面の中央部分のみにリブを設けたゴルフクラブヘッドが開示されている。また、特許文献２には、フェース部の裏面に薄肉部を複数設けたゴルフクラブヘッドが開示されている。また、特許文献３には、フェース部の裏面の中央部分に肉厚部を設け、さらにその上方に溝を設けたゴルフクラブヘッドが開示されている。
【先行技術文献】
【特許文献】
【０００３】
【特許文献１】特開２００１−８７４２８号公報
【特許文献２】特開２００３−１０２８７９号公報
【特許文献３】特開２００４−１８７７９５号公報
【発明の概要】
【発明が解決しようとする課題】
【０００４】
しかしながら、上記技術では、ゴルフボールの打球時には、ゴルフクラブヘッド上部のクラウン面から打撃音が発せられると共に、フェース部の振動によってフェース部からも打撃音が発せられる。これにより、フェース部から発せられた打撃音が、クラウン部から発せられた打撃音と重なり、結果的に不快な打撃音となってプレーヤに伝わってしまう等の不具合が生じてしまう。そこで、本発明は、ゴルフボールの打球時において、ゴルフボールの打球時において、フェース部に生じる所定の振動モードの振動を軽減することを目的とする。
【課題を解決するための手段】
【０００５】
上記課題を解決するため、本発明は、中空構造を有するゴルフクラブヘッドであって、フェース部の裏面において、ゴルフボールの打撃時に当該フェース部に生じる振動モードの振動の腹となる部分に、周囲よりも質量が大きい質量部が設けられていることを特徴とするゴルフクラブヘッドを提供する。
前記フェース部において前記質量部の厚さが前記周囲の厚さよりも大きく構成してもよい。
また、前記質量部は、チタンを鍛造法又は鋳造法により加工したものであり、５．５ｍｍ以上の厚さを有するものであってもよい。
また、前記質量部は、前記フェース部の裏面において、前記フェース部に生じる前記振動モードの振動の複数の腹となる部分の各々に設けられていてもよい。
また、前記フェース部の裏面において、前記フェース部の中心から、半径が２５ｍｍの円形の領域を第１の領域とし、前記フェース部の裏面にリブが設けられ、前記質量部は、前記リブが設けられている位置では当該リブの上に設けられており、前記リブは、前記フェース部の裏面の中央部にある部分と、前記中央部と前記第１の領域外にあるトウ側の領域とに渡ってトウ・ヒール方向に延伸する部分と、前記中央部と前記第１の領域外にあるヒール側の領域とに渡ってトウ・ヒール方向に延伸する部分と、前記中央部と前記第１の領域外にあるクラウン側かつトウ側の領域とに渡って延伸する部分と、前記中央部と前記第１の領域外にあるクラウン側かつヒール側の領域とに渡って延伸する部分と、前記第１の領域外にある領域のうち、トウ側の領域でクラウン・ソール方向に延伸する部分と、前記第１の領域外にある領域のうち、ヒール側の領域でクラウン・ソール方向に延伸する部分とを有し、前記中央部と前記第１の領域外にあるクラウン側領域とに渡ってクラウン・ソール方向に延伸する部分と、前記中央部と前記第１の領域外にあるソール側領域とに渡ってトウ・ヒール方向に角度をなす方向に延伸する部分とを有しないようにしてもよい。
【発明の効果】
【０００６】
本発明のゴルフクラブヘッドによれば、ゴルフボールの打球時において、フェース部に生じる振動モードの振動を軽減することができる。
【図面の簡単な説明】
【０００７】
【図１】第１実施例に係るゴルフクラブの外観を示す。
【図２】第１実施例に係るゴルフクラブヘッドの外観を示す。
【図３】第１実施例に係るゴルフクラブヘッドのフェース部の構造を示す。
【図４】第１実施例に係るゴルフクラブヘッドのフェース部のＡ−Ａ断面を示す。
【図５】第２実施例に係るゴルフクラブヘッドのフェース部の構造を示す。
【図６】第２実施例に係るゴルフクラブヘッドのフェース部のＡ−Ａ断面を示す。
【図７】第３実施例に係るゴルフクラブヘッドのフェース部の構造を示す。
【図８】第３実施例に係るゴルフクラブヘッドのフェース部のＡ−Ａ断面を示す。
【図９】第４実施例に係るゴルフクラブヘッドのフェース部の構造を示す。
【図１０】第４実施例に係るゴルフクラブヘッドのフェース部のＡ−Ａ断面を示す。
【図１１】第５実施例に係るゴルフクラブヘッドのフェース部の構造を示す。
【図１２】第５実施例に係るゴルフクラブヘッドのフェース部のＡ−Ａ断面を示す。
【図１３】第５実施例に係るフェース部の裏面における９つの領域を示す。
【図１４】第６実施例に係るゴルフクラブヘッドのフェース部の構造を示す。
【図１５】第６実施例に係るゴルフクラブヘッドのフェース部のＡ−Ａ断面を示す。
【図１６】第７実施例に係るゴルフクラブヘッドのフェース部の構造を示す。
【図１７】第７実施例に係るゴルフクラブヘッドのフェース部のＡ−Ａ断面を示す。
【図１８】第８実施例に係るゴルフクラブヘッドのフェース部の構造を示す。
【図１９】第８実施例に係るゴルフクラブヘッドのフェース部のＡ−Ａ断面を示す。
【図２０】非通過部分に設けられている肉厚部と設けられていない肉厚部の例を示す。
【図２１】肉厚部の高さの理想的な組み合わせを示す。
【図２２】試算されたＣＴ値の平均値と標準偏差を示す。
【図２３】試算で用いられた打撃位置を示す。
【図２４】試算により見いだされた各領域の肉厚部の高さを示す。
【図２５】第９実施例に係るゴルフクラブヘッドのフェース部の構造を示す。
【図２６】第１０実施例に係るゴルフクラブヘッドのフェース部の構造を示す。
【図２７】第１１実施例に係るゴルフクラブヘッドのフェース部の構造を示す。
【図２８】従来のゴルフクラブヘッドのフェース部の構造を示す。
【図２９】ゴルフクラブ及び従来のゴルフクラブの各々のＣＴ値を示す。
【図３０】変形例に係るゴルフクラブヘッドのフェース部の構造を示す。
【図３１】変形例に係るゴルフクラブヘッドのフェース部の断面を示す。
【発明を実施するための形態】
【０００８】
（第１実施例）
図１は、第１実施例に係るゴルフクラブ１０の外観を示す。ゴルフクラブ１０は、ゴルフクラブヘッド１００、クラブシャフト１０２、およびシャフトグリップ１０４を備える。クラブシャフト１０２のゴルフクラブヘッド１００側の端部は、ゴルフクラブヘッド１００のヒール部１５０に設けられたホーゼル１６０（図２参照）に差し込まれ、接着剤などによってゴルフクラブヘッド１００に接着されている。クラブシャフト１０２のシャフトグリップ１０４側の端部においては、その外周面がある程度の幅を有するシャフトグリップ１０４によって覆われている。以降の説明では、ゴルフクラブヘッド１００の、トウ側を「前」、ヒール側を「後」、クラウン側を「上」、ソール側を「下」とする。
【０００９】
図２は、第１実施例に係るゴルフクラブヘッド１００の外観を示す。ゴルフクラブヘッド１００は、フェース部１１０、クラウン部１２０、ソール部１３０、トウ部１４０、及びヒール部１５０を有し、これら各部が一体成型されたものである。ゴルフクラブヘッド１００は、チタンがその材料として用いられた鍛造製品である。なお、ゴルフクラブヘッド１００は、鋳造製品であってもよい。ゴルフクラブヘッド１００は、中空構造を有している。
【００１０】
図３は、第１実施例に係るゴルフクラブヘッド１００のフェース部１１０の構造を示す。図４は、第１実施例に係るゴルフクラブヘッド１００のフェース部１１０のＡ−Ａ断面を示す。図３は、ゴルフクラブヘッド１００のフェース部１１０を切り出して、フェース面１１０Ａの裏面（以下、「裏面１１０Ｂ」と示す。）側から示したものであり、図４は、そのＡ−Ａ断面を示したものである。
【００１１】
フェース部１１０の裏面１１０Ｂには、質量部２００が設けられている。質量部２００は、フェース部１１０と一体に形成されており、その材料はフェース部１１０と同じく例えばチタンである。質量部２００とは、当該質量部２００の周囲の部分よりも、単位面積辺りの質量が大きい部分の事を指す。フェース部１１０の裏面１１０Ｂにおいて、質量部２００は、フェース部１１０に生じる一次固有振動モードの振動の腹となる部分に設けられている。ここで、フェース部１１０に生じる一次固有振動モードの振動の腹の位置については、例えばフェース部１１０に対して打撃時の衝撃を擬似的に与え、振動の状態を計測することで特定してもよいし、フェース部１１０に対して打撃時の衝撃を与えたときの振動をシミュレーションによって再現し、そのときの振動の状態を計算によって求めて特定してもよい。
【００１２】
質量部２００は、厚さＴ及び幅Ｗを有する。ここでいう厚さＴとは、フェース面１１０Ａから、質量部２００においてフェース面１１０Ａから最も遠い端面までの長さを意味する。また、幅Ｗとは、質量部２００の前後方向の長さを意味する。質量部２００は、その周囲の部分よりも単位面積辺りの質量が大きいが、ここでいう単位面積とは、フェース面１１０Ａに垂直な方向から見たときの、予め決められた大きさの面積のことである。質量部２００の厚さＴは、質量部２００以外のフェース部１１０の厚さよりも大きいため、フェース面１１０Ａに垂直な方向から見たときの単位面積あたりの質量（質量部２００をフェース面１１０Ａの単位面積分だけ切り出したときの、その切り出された部分の質量）が、その周囲の単位面積あたりの質量（質量部２００の周囲の任意のフェース部１１０をフェース面１１０Ａの単位面積分だけ切り出したときの、その切り出された部分の質量）よりも大きいことになる。
【００１３】
なお、図４では、（ａ）が鍛造法により製造されたフェース部１１０の断面を示し、（ｂ）が鋳造法により製造されたフェース部１１０の断面を示している。これらの図で示されるように、フェース部１１０は、鍛造法で製造された場合、鋳造法で製造された場合に比べて角が丸くなる。鍛造法で製造された場合の幅Ｗは、フェース部１１０の裏面１１０Ｂ側の角の丸みを帯びた部分を含めた質量部２００の前後方向の長さを意味する。
【００１４】
この第１実施例では、質量部２００の好適な仕様の一例として、円柱形状で、厚さＴが５．５ｍｍ以上で、幅Ｗが１０ｍｍ以上３０ｍｍ以下のものを用いている。但し、質量部２００の形状、サイズはこれに限定されるものではない。質量部２００は、サイズ、形状、質量等の仕様は問わず、その単位面積あたりの質量が、その周囲の単位面積あたりの質量よりも大きくなってさえいれば、「振動を軽減することができる」という効果を奏することができる。
【００１５】
物体の質量が大きいほど慣性質量が大きくなるから、外力が加わったときにその物体に生じる加速度が小さくなる。よって、このような質量が大きい質量部が振幅最大となる振動の腹の位置にあると、その振幅は小さくなるから、振動そのものが低減することになる。このように、この第１実施例のゴルフクラブヘッド１００によれば、ゴルフボールの打球時にフェース部１１０に生じる一次固有振動モードの振動の腹となる部分に質量部２００を設けたことにより、当該振動の振幅を低減するので、その結果、当該振動によってフェース部１１０から発せられる打撃音を低減することができる。よって、クラウン部１２０から発せられた打撃音が、フェース部１１０から発せられた打撃音と重なりにくくなり、クラウン部１２０から発せられる、澄んだ心地良い打球音をプレーヤに聞き取らせることができる。
【００１６】
なお、周波数帯域によって一次固有振動モードが異なる場合は、振動を低減させたい周波数帯域の一次固有振動モードの振動の腹となる部分に質量部２００を設けると良い。これにより、低減させたい周波数帯域の一次固有振動モードの振動の振幅を低減し、当該振動によってフェース部１１０から発せられる打撃音を低減することができる。
【００１７】
（第２実施例）
次に、第２実施例を説明する。第１実施例では、一次固有振動モードの振動を軽減するために質量部２００を設ける事とした。質量部２００を設けることにより軽減する振動は、一次固有振動モードのものに限らない。この第２実施例では、多次の固有振動モードの振動を低減するための質量部２００を設ける例を説明する。多次の固有振動モードの振動は腹となる部分が複数あるので、当該振動を軽減する場合は、当該振動の腹となる複数の部分の各々に質量部２００を設ける。なお、以降の説明において、特に説明しない部分については、第１実施例と同様である。
【００１８】
図５は、第２実施例に係るゴルフクラブヘッド１００のフェース部１１０の構造を示す。図６は、第２実施例に係るゴルフクラブヘッド１００のフェース部１１０のＡ−Ａ断面を示す。この第２実施例のゴルフクラブヘッド１００は、フェース部１１０に生じる二次固有振動モードの振動を低減するために、フェース部１１０の裏面１１０Ｂに、複数の質量部２００が設けられている。具体的には、二次固有振動モードの振動の場合、腹となる部分は２つとなる。そこで、この第２実施例のゴルフクラブヘッド１００は、フェース部１１０の裏面１１０Ｂにおいて、この腹となる２つの部分の各々に質量部２００を設けたのである。
【００１９】
このように、この第２実施例のゴルフクラブヘッド１００によれば、ゴルフボールの打球時にフェース部１１０に生じる多次の固有振動モードの振動の腹となる複数の部分の各々に質量部２００を設けたことにより、当該振動の振幅を低減し、当該振動によってフェース部１１０から発せられる打撃音を低減することができる。よって、クラウン部１２０から発せられた打撃音が、フェース部１１０から発せられた打撃音と重なりにくくなり、より心地良い打球音をプレーヤに聞き取らせることができる。
【００２０】
（第３実施例）
次に、第３実施例を説明する。第１実施例及び第２実施例では、ある一つの振動モードの振動を軽減するために質量部２００を設ける事とした。質量部２００を設けることにより軽減する振動は、一つの振動モードのものに限らない。この第３実施例では、振動モードが異なる複数の振動を低減するための質量部２００を設ける例を説明する。フェース部１１０に生じる振動はその振動モードによって腹となる部分が異なるので、振動モードが異なる複数の振動を軽減する場合は、複数の振動の各々の腹となる部分に質量部２００を設ける。
【００２１】
図７は、第３実施例に係るゴルフクラブヘッド１００のフェース部１１０の構造を示す。図８は、第３実施例に係るゴルフクラブヘッド１００のフェース部１１０のＡ−Ａ断面を示す。この第３実施例のゴルフクラブヘッド１００は、フェース部１１０に生じる一次固有振動モードの振動と、二次固有振動モードの振動とをそれぞれ低減するために、フェース部１１０の裏面１１０Ｂに、複数の質量部２００が設けられている。具体的には、一次固有振動モードの振動の場合、腹となる部分は１つとなる。また、二次固有振動モードの振動の場合、腹となる部分は２つとなる。そこで、この第３実施例のゴルフクラブヘッド１００は、フェース部１１０の裏面１１０Ｂにおいて、一次固有振動モードの振動の腹となる１つの部分に質量部２００（図中の質量部２００Ｂ）を設け、二次固有振動モードの振動の腹となる２つの部分にも質量部２００（図中の質量部２００Ａ，Ｃ）を設けたのである。
【００２２】
このように、この第３実施例のゴルフクラブヘッド１００によれば、ゴルフボールの打球時にフェース部１１０に生じる、振動モードが異なる複数の振動の各々の腹となる部分に質量部２００を設けたことにより、当該複数の振動の各々の振幅を低減し、当該複数の振動によってフェース部１１０から発せられる打撃音を低減することができる。よって、クラウン部１２０から発せられた打撃音が、フェース部１１０から発せられた打撃音と重なりにくくなり、より心地良い打球音をプレーヤに聞き取らせることができる。
【００２３】
（第４実施例）
次に、第４実施例を説明する。この第４実施例では、ある振動モードの振動の軽減効果をより高めるために、当該振動の腹となる１つの部分に対して複数の質量部２００を設ける例を説明する。振動の腹となる部分に対する質量部２００の数を増やすほど、すなわち、前述したように、物体の質量が大きいほど慣性質量が大きくなるから、外力が加わったときにその物体に生じる加速度が小さくなる。よって、振動の腹となる部分に対する質量部２００の数を増やすほど、すなわち、振動の腹となる部分の質量が増すほど、当該振動の軽減効果を高めることができる。
【００２４】
図９は、第４実施例に係るゴルフクラブヘッド１００のフェース部１１０の構造を示す。図１０は、第４実施例に係るゴルフクラブヘッド１００のフェース部１１０のＡ−Ａ断面を示す。この第４実施例のゴルフクラブヘッド１００は、フェース部１１０に生じる一次固有振動モードの振動を低減するために、その腹となる部分に質量部２００が設けられている。上記したとおり、振動の腹となる部分の質量が増すほど、当該振動の軽減効果を高めることができる。そこで、この第４実施例のゴルフクラブヘッド１００は、フェース部１１０の裏面１１０Ｂにおいて、一次固有振動モードの振動の腹となる１つの部分に４つの質量部２００を設けたのである。
【００２５】
このように、この第４実施例のゴルフクラブヘッド１００によれば、ゴルフボールの打球時にフェース部１１０に生じる、ある振動モードの振動の腹となる部分に対して、複数の質量部２００を設けたことにより、当該振動の振幅をより低減し、当該振動によってフェース部１１０から発せられる打撃音をより低減することができる。よって、クラウン部１２０から発せられた打撃音が、フェース部１１０から発せられた打撃音と重なりにくくなり、より心地良い打球音をプレーヤに聞き取らせることができる。
【００２６】
（第５実施例）
次に、第５実施例を説明する。この第５実施例では、フェース部の裏面にリブが設けられているゴルフクラブヘッドに対して、質量部２００を設ける例を説明する。図１１は、第５実施例に係るゴルフクラブヘッド１００のフェース部１１０の構造を示す。図１２は、第５実施例に係るゴルフクラブヘッド１００のフェース部１１０のＡ−Ａ断面を示す。第５実施例のゴルフクラブヘッド１００は、フェース部１１０の裏面１１０Ｂに対して、リブ３００が設けられている。リブ３００は、主にフェース部１１０の反発能力の分布を平均化するためのものであり、他の部分よりも肉厚になっている肉厚部によって構成されている。この第５実施例では、リブ３００は、フェース部１１０と一体に形成されているが、フェース部１１０とは別に形成され、フェース部１１０と溶接、接着等により接合されたものであっても良い。
【００２７】
第５実施例のゴルフクラブヘッド１００は、フェース部１１０に生じる一次固有振動モードの振動を低減するために、その腹となる部分に質量部２００が設けられている。上記したとおり、振動の腹となる部分の質量が増すほど、当該振動の軽減効果を高めることができる。そこで、この第５実施例のゴルフクラブヘッド１００は、フェース部１１０の裏面１１０Ｂにおいて、一次固有振動モードの振動の腹となる１つの部分に４つの質量部２００を設けている。これら４つの質量部２００が設けられる場所には、リブ３００が設けられている。このため、これら複数の質量部２００は、リブ３００上に設けられている。この第５実施例では、これら複数の質量部２００は、リブ３００の一部としてリブ３００と一体的に形成されているが、リブ３００とは別に形成され、リブ３００と溶接、接着等により接合されたものであっても良い。
【００２８】
リブ３００は、肉厚部３０１、３０２Ｒ、３０２Ｌ、３０４Ｒ、３０４Ｌ、３０６、３０８、３１０によって構成されている。これらの肉厚部の形状及び配置について、図１３を参照して説明する。
図１３は、フェース部１１０の裏面１１０Ｂにおける９つの領域を示す図である。図１３では、説明を判り易くする為、リブ３００及び質量部２００の図示を省略する。図１３（ａ）に示すように、フェース部１１０においては、上側（クラウン側）から下側（ソール側）に向かう方向を上下方向（クラウン・ソール方向）といい、前方（トウ側）から後方（ヒール側）に向かう方向を前後方向（トウ・ヒール方向）というものとする。また、図１３では、フェース部１１０の中心をＰで示し、中心Ｐを通る前後方向の直線をＬ１、中心Ｐを通る上下方向の直線をＬ２で示している。
中央部Ｄは、中心Ｐを中心とした、半径ｒ１＝１０ｍｍの円形の領域である。
【００２９】
領域Ｅは、領域Ｅ１、Ｅ２、Ｅ３、Ｅ４からなり、フェース部１１０の裏面１１０Ｂのうち、中心点Ｐから半径ｒ２＝２５ｍｍの円形の領域であって、中央部Ｄを除いた領域である。領域Ｅ１は、領域Ｅのうち、上部前方にある領域である。ここにおいて、領域Ｅの上部とは、領域Ｅの上側の半分の領域をいい、領域Ｅの上部前方とは、領域Ｅの上側の半分の領域のうち、さらに前方の半分の領域をいう。ここで、領域Ｅは、直線Ｌ１によって上下に半分ずつ分割され、直線Ｌ２によって前後に半分ずつ分割されている。つまり、領域Ｅ１は、直線Ｌ１を上下方向の境界とし、直線Ｌ２を前後方向の境界とする領域である。領域Ｅ２は、領域Ｅのうち、上部後方にある領域であり、領域Ｅ３は、領域Ｅのうち、下部後方にある領域である。また、領域Ｅ４は、領域Ｅのうち、下部前方にある領域である。領域Ｅ２、Ｅ３、Ｅ４も、領域Ｅ１と同様に、直線Ｌ１を各領域の上下方向の境界とし、直線Ｌ２を前後方向の境界とする領域である。
中央部Ｄと領域Ｅとを合わせた領域は、本発明に係る「第１の領域」に相当する。
【００３０】
領域Ｆは、領域Ｆ１、Ｆ２、Ｆ３、Ｆ４からなり、フェース部１１０の裏面１１０Ｂのうち、中央部Ｄと領域Ｅとを除いた領域である。領域Ｆ１は、領域Ｆのうち、上部前方にある領域であり、領域Ｆ２は、領域Ｆのうち、上部後方にある領域である。また、領域Ｆ３は、領域Ｆのうち、上部後方にある領域であり、領域Ｆ４は、領域Ｆのうち、下部前方にある領域である。また、領域Ｆをなすこれらの領域も、領域Ｅ１と同様に、直線Ｌ１を各領域の上下方向の境界とし、直線Ｌ２を前後方向の境界とする領域である。
【００３１】
続いて、図１１、１３を参照しながら、各肉厚部の形状について説明する。肉厚部３０１は、中央部Ｄに設けられている。肉厚部３０２Ｒは、領域Ｆの前方の領域（つまり領域Ｆ１、Ｆ４）と中央部Ｄとに渡って前後方向に延伸するように設けられている。また、肉厚部３０２Ｌは、中央部Ｄと領域Ｆの後側の領域（つまり領域Ｆ２、Ｆ３）とに渡って前後方向に延伸するように設けられている。肉厚部３０４Ｒは、中央部Ｄと領域Ｆ１とに渡って、直線Ｌ１及びＬ２に対して角度をなして延伸するように設けられている。肉厚部３０４Ｌは、中央部Ｄから領域Ｅ３まで延伸しているが、領域Ｆ３には到達しないように設けられている。肉厚部３０６は、中央部Ｄと領域Ｆ２とに渡って、直線Ｌ１及びＬ２に対して角度をなして延伸するように設けられている。肉厚部３０６は、領域Ｅ４には設けられていない。肉厚部３０２Ｒ、３０２Ｌ、３０４Ｒ、３０４Ｌ、３０６は、中央部Ｄで肉厚部３０１とそれぞれ接続している。肉厚部３０８は、領域Ｆ１とＦ４とに渡って上下方向に延伸し、かつ、中心Ｐ側を内側とする弧を描くように設けられている。肉厚部３１０は、領域Ｆ２とＦ３とに渡って上下方向に延伸し、かつ、中心Ｐ側を内側とする弧を描くように設けられている。
【００３２】
これらの肉厚部は、いずれも同じ厚さとなるようにそれぞれ設けられている。具体的には、肉厚部３０１、３０２Ｒ、３０２Ｌは、図１２に示すとおり、裏面１１０Ｂからの高さがＴ１となるような厚さで設けられている。また、肉厚部３０４Ｒ、３０４Ｌ、３０６、３０８、３１０は、肉厚部３０２Ｒ、３０２Ｌと同様に、裏面１１０Ｂからの高さがＴ１となるような厚さで設けられている。これらの肉厚部は、本発明に係る「リブ」が有する「部分」の例に相当する。
【００３３】
フェース部１１０の裏面１１０Ｂでは、領域Ｅにおいて、中央部Ｄと領域Ｆとに渡って延伸する肉厚部が設けられていない部分が定められている。つまり、中央部Ｄからこの部分を通過して領域Ｆまで延伸する肉厚部が設けられていないことになり、以下では、この部分を「非通過部分」という。以下、非通過部分について詳細に説明する。
図１３（ｂ）は、フェース部１１０の裏面１１０Ｂにおける非通過部分Ｎ１、Ｎ２（以下、区別しない場合は「非通過部分Ｎ」という。）を示している。非通過部分Ｎ１は、領域Ｅのうち、中央部Ｄから上下方向に沿って領域Ｆの上部領域（すなわち領域Ｅ１、Ｅ２）に渡って延在する部分である。また、非通過部分Ｎ２は、領域Ｅの下部領域（すなわち領域Ｅ３、Ｅ４）である。なお、非通過部分Ｎ２においては、中央部Ｄと領域Ｆとに渡って前後方向に延伸する肉厚部、すなわち肉厚部３０２Ｒ、３０２Ｌが設けられていてもよい。つまり、非通過部分Ｎ２は、中央部Ｄと領域Ｆの下部領域とに渡って前後方向に角度をなす方向に延伸する肉厚部が設けられていない部分として定められている。
また、非通過部分Ｎには、中央部Ｄと領域Ｆとに渡って延伸するものでなければ、肉厚部が設けられていてもよい。例えば、図１１に示す肉厚部３０４Ｌである。肉厚部３０４Ｌは、中央部Ｄから非通過部分Ｎ２まで延伸しているが、上述したとおり、中央部Ｄと領域Ｆ３とに渡っては延伸しないように設けられている。
【００３４】
図２０は、非通過部分Ｎに設けられていない肉厚部の例を示す図である。図２０（ａ）に示す肉厚部３１４Ｘは、中央部Ｄから非通過部分Ｎ１を通過して上下方向に沿って領域Ｆの上部領域に渡って延伸するように設けられている。図２０（ｂ）に示す肉厚部３１５Ｘは、中央部Ｄから非通過部分Ｎ２を通過して領域Ｆの下部領域に渡って前後方向に角度をなす方向に延伸するように設けられている。フェース部１１０の裏面１１０Ｂには、非通過部分Ｎが定められているため、肉厚部３１４Ｘ、３１５Ｘのような肉厚部が設けられていないのである。
以上に述べた各肉厚部及び非通過部分Ｎの形状、配置及び高さは、次のようにして定められた。
【００３５】
図２１は、フェース部１１０の裏面１１０Ｂにおいて領域Ｇ１からＧ１１までの１１箇所に肉厚部を設ける場合における肉厚部の高さを、遺伝的アルゴリズム技術を用いて、反発分布、重心設計での理想的な組み合わせを探索した結果の図である。領域Ｇ１は、中央部Ｄに存在する半径８ｍｍの円形の領域である。領域Ｇ２からＧ９は、中心Ｐ側の端部が中央部Ｄと接し、領域Ｅを通過して領域Ｆまで放射状にそれぞれ延在する領域である。領域１０は、領域Ｆ２とＦ３とに渡って上下方向に延在し、かつ、中心Ｐ側を内側とする弧を描く形状の領域である。領域１１は、領域Ｆ１とＦ４とに渡って上下方向に延在し、かつ、中心Ｐ側を内側とする弧を描く形状の領域である。発明者らは、図２１に示す高さの組み合わせを次にようにして得た。
図２２は、領域Ｇ１からＧ１１までに設ける肉厚部の高さを様々に変化させた場合に、後述する位置において試算されたＣＴ（Characteristic Time）値（特性時間値）と呼ばれる柔軟性の値の平均値と標準偏差とを示したグラフである。このグラフでは、縦軸にＣＴ値の平均値（μＳｅｃ）が示され、横軸にＣＴ値の標準偏差（μｓ）が示されている。
【００３６】
ここにおいて、ＣＴ値とは、フェース部のある位置でゴルフボールを打球したときの、その位置におけるフェース部の弾性を、ゴルフボールとフェース部との接触時間（単位：μｓ）に基づいて示したものである。以下では、ＣＴ値を測定する位置を「打撃位置」という。ＣＴ値が高くなる程、すなわち、上記接触時間が長くなる程、フェース部が撓み易くなって、ゴルフボールの飛距離が向上する。ゴルフボールが飛びすぎないよう、ＣＴ値の上限値が２３９μｓ（＋１８μｓの誤差が許容される）とルールで規定されており、ＣＴ値がこの上限値を超えるゴルフクラブは、ルールに適合しないものとして判断される。フェース部１１０の各打撃位置において得たいＣＴ値は、上限値＋誤差の２５７μｓという値に対して、製造時のばらつきなどを考慮して定めることが望ましい。
【００３７】
図２３は、図２２の試算で用いられた打撃位置を示す図である。図２３に示すように、図１３に示した直線Ｌ１を上下方向のセンターに位置する直線として、Ｌ１より１０ｍｍ上側にあるＬ１と平行な直線をＬ３、Ｌ１より１０ｍｍ下側にあるＬ１に平行な直線をＬ４とする。また、図１３に示した直線Ｌ２を前後方向のセンターに位置する直線として、Ｌ２より２０ｍｍ前方にあるＬ２に平行な直線をＬ５、Ｌ２より２０ｍｍ後方にあるＬ２に平行な直線をＬ６とする。図２２は、これらの直線が交わる９つの点を打撃位置と想定して、ＣＴ値をそれぞれ試算した結果得られたグラフである。
図２２のグラフに示すように、上記９つの打撃位置のＣＴ値の試算を大量に行うことで、試算された９つのＣＴ値の平均値及び標準偏差がいずれも小さくなる肉厚部の高さの組み合わせＧが得られた。この組み合わせＧにおける試算では、ＣＴ値の平均値が２４９．７μｓ、ＣＴ値の標準偏差が１０．７μｓであった。
【００３８】
図２４は、組み合わせＧにおける各領域の肉厚部の高さを示すグラフである。このグラフでは、縦軸に高さ（ｍｍ）が示され、横軸にＧ１からＧ１１までの各領域が示されている。このグラフでは、領域Ｇ１、Ｇ３、Ｇ４、Ｇ８、Ｇ９には、高さ５ｍｍの肉厚部を設けることが示され、領域Ｇ１１には、高さ３ｍｍ程度の肉厚部を設けることが示されている。また、領域Ｇ２、Ｇ５、Ｇ６、Ｇ７、Ｇ１０には、高さ１ｍｍ程度かそれ以下の肉厚部を設けることが示されている。この組み合わせＧの試算結果から、発明者らは、フェース部１１０の裏面１１０Ｂの肉厚部の高さの理想的な組み合わせを次のように定めた。
【００３９】
図２１に示す領域Ｇ１、Ｇ３、Ｇ４、Ｇ８、Ｇ９、Ｇ１０、Ｇ１１には、裏面１１０Ｂからの高さがＴ１となる厚さの肉厚部を設けるものとする。また、領域Ｇ２、Ｇ５、Ｇ６、Ｇ７には、領域Ｇ１側の端部からその反対側の端部まで延伸するような肉厚部を設けないものとする。これらの領域Ｇ２、Ｇ５、Ｇ６、Ｇ７は、上記非通過部分Ｎに存在する領域である。フェース部１１０は、裏面１１０Ｂにこのように配置された肉厚部を設けることで、上記９つの打撃位置におけるＣＴ値がルールの上限を超えない範囲で、そのばらつき、すなわち標準偏差を最小に近い値に抑えることができる。これにより、フェース部１１０の反発能力の分布の均一化が図られる。上述した第５実施例のフェース部１１０の裏面１１０Ｂにも、以上のとおり定めた肉厚部の高さの理想的な組み合わせに則ってリブ３００が設けられている。
【００４０】
このように、この第５実施例のゴルフクラブヘッド１００によれば、フェース部１１０の裏面１１０Ｂにリブ３００を設けた事により、フェース部１１０の反発能力の分布の均一化を図る事ができると共に、ゴルフボールの打球時にフェース部１１０に生じる、ある振動モードの振動の腹となる部分に対して質量部２００を設けた事により、当該振動の振幅を低減し、当該振動によってフェース部１１０から発せられる打撃音を低減することができる。よって、クラウン部１２０から発せられた打撃音が、フェース部１１０から発せられた打撃音と重なりにくくなり、より心地良い打球音をプレーヤに聞き取らせることができる。また、質量部２００を設けたことにより、従来のゴルフクラブヘッドに設けられているような、ソール側且つトウ側の所定の領域の肉厚部を設けなくとも、反発能力の分布を容易に均一化することができるので、フェース部１１０を軽量化することができる。
【００４１】
（第６実施例）
次に、第６実施例を説明する。この第６実施例では、フェース部の裏面にリブが設けられているゴルフクラブヘッドに対して、質量部２００を設ける例を説明する。第５実施例では、フェース部の裏面にリブが設けられているゴルフクラブヘッドに対して、一次固有振動モードの振動を軽減するために質量部２００を設ける事とした。フェース部の裏面にリブが設けられている場合であっても、質量部２００を設けることにより軽減する振動は、一次固有振動モードのものに限らない。多次の固有振動モードの振動は腹となる部分が複数あるので、当該振動を軽減する場合は、当該振動の腹となる複数の部分の各々に質量部２００を設ける。
【００４２】
図１４は、第６実施例に係るゴルフクラブヘッド１００のフェース部１１０の構造を示す。図１５は、第６実施例に係るゴルフクラブヘッド１００のフェース部１１０のＡ−Ａ断面を示す。この第６実施例のゴルフクラブヘッド１００は、第５実施例のゴルフクラブヘッド１００と同様のリブ３００が、フェース部１１０の裏面１１０Ｂに設けられている。この第６実施例のゴルフクラブヘッド１００は、フェース部１１０に生じる二次固有振動モードの振動と、二次固有振動モードの振動とをそれぞれ低減するために、フェース部１１０の裏面１１０Ｂに、複数の質量部２００が設けられている。具体的には、一次固有振動モードの振動の場合、腹となる部分は１つとなる。また、二次固有振動モードの振動の場合、腹となる部分は２つとなる。そこで、この第６実施例のゴルフクラブヘッド１００は、フェース部１１０の裏面１１０Ｂにおいて、一次固有振動モードの振動の腹となる１つの部分に質量部２００（図中の質量部２００Ｂ）を設け、二次固有振動モードの振動の腹となる２つの部分にも質量部２００（図中の質量部２００Ａ，Ｃ）を設けたのである。
【００４３】
このように、この第６実施例のゴルフクラブヘッド１００によれば、フェース部１１０の裏面１１０Ｂにリブ３００を設けた事により、フェース部１１０の分布の均一化を図る事ができると共に、ゴルフボールの打球時にフェース部１１０に生じる、振動モードが異なる複数の振動の各々の腹となる複数の部分に質量部２００を設けた事により、当該複数の振動の各々の振幅を低減し、当該複数の振動によってフェース部１１０から発せられる打撃音を低減する事ができる。よって、クラウン部１２０から発せられた打撃音が、フェース部１１０から発せられた打撃音と重なりにくくなり、より心地良い打球音をプレーヤに聞き取らせる事ができる。
【００４４】
（第７実施例）
次に、第７実施例を説明する。この第７実施例では、質量部２００を設けたことによりリブ３００の構成を異ならせた例を説明する。図１６は、第７実施例に係るゴルフクラブヘッド１００のフェース部１１０の構造を示す。図１７は、第７実施例に係るゴルフクラブヘッド１００のフェース部１１０のＡ−Ａ断面を示す。この第７実施例のゴルフクラブヘッド１００は、第５実施例のゴルフクラブヘッド１００（図１１及び図１２参照）と同様にリブ３００が設けられているが、クラウン部とソール部とを接続する肉厚部３０８及び肉厚部３１０が設けられていない点で、第５実施例のゴルフクラブヘッド１００と相違する。この第７実施例のゴルフクラブヘッド１００によれば、質量部２００を設けたことにより、従来のゴルフクラブヘッドに設けられているようなクラウン部とソール部とを接続する肉厚部を設けなくとも、反発能力の分布を容易に均一化することができるので、フェース部１１０を軽量化することができる。
【００４５】
（第８実施例）
次に、第８実施例を説明する。既に説明したとおり、質量部２００は、局所的に質量を増加させることができるものであれば、そのサイズや形状は問わない。これまでの、実施例では、質量部２００として、円柱形のものを用いた例を説明した。この第８実施例では、質量部２００の形状をこのまでの実施例と異ならせた例を説明する。図１８は、第８実施例に係るゴルフクラブヘッド１００のフェース部１１０の構造を示す。図１９は、第８実施例に係るゴルフクラブヘッド１００のフェース部１１０のＡ−Ａ断面を示す。
【００４６】
第８実施例のゴルフクラブヘッド１００は、フェース部１１０の裏面１１０Ｂに対して、第５実施例のゴルフクラブヘッド１００（図１１及び図１２参照）と同様の、リブ３００が設けられている。また、第８実施例のゴルフクラブヘッド１００は、第５実施例のゴルフクラブヘッド１００と同様に、フェース部１１０に生じる一次固有振動モードの振動を低減するために、その腹となる部分に質量部２００が設けられている。
【００４７】
ここで、第８実施例のゴルフクラブヘッド１００は、質量部２００の形状が、第５実施例のゴルフクラブヘッド１００と異なる。具体的には、第５実施例のゴルフクラブヘッド１００は、円柱状の質量部２００が４つ設けられていたのに対し、この第８実施例のゴルフクラブヘッド１００は、円筒状の質量部２００が１つ設けられているのである。ここで、この第８実施例の質量部２００は、１つの質量部２００で第５実施例の４つの質量部２００と同様の荷重効果を得るために、その外径が、第５実施例のものよりも大きくなっている。
【００４８】
このように、この第８実施例のゴルフクラブヘッド１００によれば、ゴルフボールの打球時にフェース部１１０に生じる固有振動モードの振動の腹となる部分に対し、第５実施例とは異なる形状、サイズ、及び数の質量部２００を設けたが、その荷重効果は変わらないため、第５実施例と同様に、当該振動の振幅を低減し、当該振動によってフェース部１１０から発せられる打撃音を低減することができる。よって、クラウン部１２０から発せられた打撃音が、フェース部１１０から発せられた打撃音と重なりにくくなり、より心地良い打球音をプレーヤに聞き取らせることができる。
【００４９】
（第９実施例）
次に、第９実施例を説明する。本実施例では、第８実施例に係るリブ３００の領域Ｅ３、Ｅ４における構成を異ならせた例を説明する。
図２５は、本実施例に係るゴルフクラブヘッド１００のフェース部１１０の構造を示す。本実施例のフェース部１１０は、領域Ｅ４の途中まで延伸している肉厚部３０６Ｒが設けられている点で、第８実施例のフェース部１１０と相違する。この肉厚部３０６Ｒは、非通過部分Ｎ２を通過するところまでは延伸しておらず、領域Ｆ４には到達しないように設けられている。つまり、本実施例のフェース部１１０は、上述した肉厚部の高さの理想的な組み合わせに則った肉厚部が設けられたものである。また、本実施例のゴルフクラブヘッド１００は、第８実施例のゴルフクラブヘッド１００と比べて、中心Ｐよりも下側に設けられた肉厚部の重量が増えるために重心が低くなる。なお、これと同様に、本実施例のゴルフクラブヘッド１００の領域Ｅ３、Ｅ４に設ける肉厚部の構成を変化させることで、ゴルフクラブヘッド１００の重心を変化させてもよい。
【００５０】
図２６は、フェース部１１０の領域Ｅ３、Ｅ４に設ける肉厚部の構成を変化させた場合の構造を示す図である。図２６（ａ）は、図２５に示すリブ３００から、領域Ｅ３、Ｅ４に延伸する肉厚部３０４Ｌ、３０６Ｒを除いた構成を示し、図２６（ｂ）は、図２５に示すリブ３００から、領域Ｅ３、Ｅ４に設けられる肉厚部３１２をさらに増やした構成を示している。図２６（ａ）に示すゴルフクラブヘッド１００は、第８実施例のゴルフクラブヘッド１００と比べて、中心Ｐよりも下側に設けられた肉厚部の重量が減って重心が高くなる。また、図２６（ｂ）に示すゴルフクラブヘッド１００は、図２５に示す本実施例のゴルフクラブヘッド１００と比べて、中心Ｐよりも下側に設けられた肉厚部の重量が増えて重心が低くなる。このように、ゴルフクラブヘッド１００においては、フェース部１１０に非通過部分Ｎを通過しない範囲で肉厚部を設けることによって、反発能力の分布を均一化しつつ、重心の位置を変更することができる。
【００５１】
（第１０実施例）
次に、第１０実施例を説明する。この第１０実施例では、図２６（ｂ）に示したリブ３００よりも、さらに重心を低くするようにリブ３００を設けた例を説明する。
図２７は、本実施例に係るゴルフクラブヘッド１００のフェース部１１０の構造を示す。本実施例のフェース部１１０には、肉厚部３０８、３１０が、それぞれ肉厚部３０４Ｒ、３０６Ｌを超えて上側まで延伸しないように設けられている。また、本実施例のフェース部１１０には、図２６（ｂ）に示したリブ３００同様、中央部Ｄから領域Ｅ３、Ｅ４に延伸し、かつ、これらの領域を通過するところまでは延伸しないように肉厚部３０４Ｌ、３０６Ｒ、３１２が設けられている。このように、本実施例のゴルフクラブヘッド１００は、第９実施例のゴルフクラブヘッド１００と比べて、領域Ｆ１、Ｆ２に設けられる肉厚部の重量を減らすことで重心を低くすることができる。
【００５２】
（実験結果）
ゴルフクラブヘッド１００の効果を確認するために行った実験の実験結果について説明する。この実験では、従来のゴルフクラブヘッドを備えるゴルフクラブ（以下、「従来のゴルフクラブ」という。）と、第１０実施例のゴルフクラブヘッド１００を備えるゴルフクラブ（以下、「本ゴルフクラブ」という。）とのそれぞれについて、図２３に示した９つの打撃位置においてゴルフボールを打球し、ＣＴ値をそれぞれ測定した。
【００５３】
図２８は、従来のゴルフクラブヘッドのフェース部１１０Ｘの構造を示す図である。フェース部１１０Ｘには、上部前方から中央部Ｄを通って下部後方まで延伸する肉厚部３０４Ｘと、上部後方から中央部Ｄを通って下部前方まで延伸する肉厚部３０６Ｘと、領域Ｆの前方と後方とにおいて、上部から下部に渡って上下方向に延伸し、かつ、中心Ｐ側を内側とする弧をそれぞれ描くように設けられた肉厚部３０８Ｘ、３１０Ｘとが設けられている。肉厚部３０４Ｘ、３０６Ｘは、本ゴルフクラブにおける非通過部分Ｎ２を通過する肉厚部であって、前後方向に角度をなす方向に延伸する肉厚部である。また、フェース部１１０Ｘには、本ゴルフクラブにおける質量部が設けられていない。
【００５４】
図２９は、本ゴルフクラブ及び従来のゴルフクラブにおいてそれぞれ測定されたＣＴ値を示す表である。これらの表の各行には、上下方向に位置が異なる打撃位置（クラウン側、センター、ソール側）で測定されたＣＴ値がそれぞれ表されている。また、これらの表の各列には、前後方向に位置が異なる打撃位置（トウ側、センター、ヒール側）で測定されたＣＴ値がそれぞれ表されている。各打撃位置に対して示されている長さ（ｍｍ）は、センターからその打撃値までの上下方向又は前後方向の距離を表している。
図２９（ａ）は、本ゴルフクラブのＣＴ値を示す表である。また、図２９（ｂ）は、従来のゴルフクラブのＣＴ値を示す表である。それぞれ９つの打撃位置で測定されたＣＴ値の標準偏差は、本ゴルフクラブでは８．３μｓであり、従来のゴルフクラブでは１７．０μｓであった。このように、これらの測定結果から、本ゴルフクラブが、従来のゴルフクラブと比べて、打撃位置の違いによるＣＴ値の差が少なくなっており、その反発分布がより均一化されていることが示された。すなわち、本ゴルフクラブは、従来のゴルフクラブに比べて、スイートスポットが広く、打撃位置がいずれであっても、得られる打撃効果のばらつきが少ないことが示された。特に、下部前方と下部後方の打撃位置では、打撃効果のばらつきが大きく減少しており、従来のゴルフクラブでは、これらの打撃位置と中心ＰとのＣＴ値の差が４３μｓ、２６μｓであったのに対し、本ゴルフクラブでは、その差がそれぞれ２８μｓ、９μｓと小さくなった。
【００５５】
（変形例）
上述した実施例を次のように変形してもよい。また、次の各変形例を組み合わせてもよい。
【００５６】
（変形例１）
各実施例において、質量部２００は、フェース部１１０又はリブ３００の一部としてフェース部１１０又はリブ３００と一体的に形成されている例を示したが、フェース部１１０又はリブ３００とは別に形成され、フェース部１１０又はリブ３００と溶接、接着等により接合されたものであっても良い。
【００５７】
（変形例２）
各実施例では、１次固有振動モード又は２次固有振動モード振動の振動を軽減する例を説明したが、３次以上の固有振動モードの振動を軽減するようにしても良い。この場合も、振動の腹となる部分の各々に質量部２００を設ければ良い。
【００５８】
（変形例３）
各実施例では、１つの振動又は固有振動モードが異なる２つの振動を軽減する例を説明したが、固有振動モードが異なる３つ以上の振動を軽減するようにしても良い。この場合も、複数の振動の各々の腹となる部分に質量部２００を設ければ良い。
【００５９】
（変形例４）
第１−３実施例では、質量部２００の厚さを周囲の厚さよりも大きくすることで質量を大きくしていたが、質量を大きくする方法は、上記の厚さの変更以外にもある。例えば、フェース面１１０Ａの裏面に金属などの物質を固定して質量部２００を構成するとか、材料の種類の変更やその密度の変更により、質量部２００に相当するフェース部１１０の単位体積あたりの質量を、質量部２００以外のフェース部１１０の単位体積あたりの質量よりも大きくするなどである。
第４−７実施例では、ある振動モードの振動の腹となる部分に対して、複数の質量部２００を設けることによって、当該振動の腹となる部分の質量を増加させて、当該振動の低減効果を高めることとした。ここで、隣接する質量部２００同士は、接しても良く、離間していても良く、もしくは重なっていても良い。また、第４，５，７実施例では、振動の腹となる一つの部分に対して４つの質量部２００を設け、第６実施例では、振動の腹となる一つの部分に対して２つの質量部２００を設けることとしたが、これらに限らず、振動の腹となる一つの部分に設ける質量部２００の数は、いくつであっても良い。また、第４−７実施例では、振動の腹となる部分の質量部２００の数を増やすことにより、当該振動の腹となる部分の質量を増加させることとしたが、これに限らず、例えば振動の腹となる部分の質量部２００のサイズを大きくしたり、質量部２００の材質を変化させる等して、当該振動の腹となる部分の質量を増加させても良い。
【００６０】
（変形例５）
各実施例では、フェース部１１０の上下方向のみに着目した場合に、フェース部１１０に生じる振動の固有振動モードが一次であるものとして、その腹となる一つの位置（フェース部１１０の中心を通り、前後方向に延伸する１つの線上）に質量部２００を設ける例を説明した。これに限らず、フェース部１１０の上下方向のみに着目した場合に、フェース部１１０に生じる振動の固有振動モードが多次の場合には、その腹となる複数の位置（前後方向に複数の線上）に質量部２００を設けるようにしても良い。
【００６１】
（変形例６）
各実施例では、フェース部１１０の裏側の肉厚部はいずれも同じ高さＴ１であったが、これに限らず、図２４に示すとおり、領域Ｇ１０、Ｇ１１は領域Ｇ１、Ｇ３、Ｇ４、Ｇ８、Ｇ９に比べて高さが低いことから、領域Ｇ１０、Ｇ１１に設けられる肉厚部の高さを高さＴ１よりも低くしてもよい。また、各領域の高さを、図２４に示す高さに一致するようにしてもよい。要するに、各肉厚部の高さは、図２２に示す探索の結果から選択したもの（例えば図２４に示す値）に基づき、その目的に応じて決定したものであればよい。ここでいう目的とは、上記のように打撃効果のばらつきを少なくすること（すなわち、スイートスポットを拡大すること）の他にも、例えば、ゴルフクラブヘッド１００の重心を低くすること、又はゴルフクラブヘッド１００の重心とシャフト１０２の中心線との距離（いわゆる重心距離）を調整すること等がある。
【００６２】
図３０は、本変形例に係るゴルフクラブヘッド１００のフェース部１１０の構造を示す。本変形例のフェース部１１０には、肉厚部３０１、３０２Ｒ、３０２Ｌ、３０４Ｒ、３０４Ｌ、３０６が、肉厚部３０８、３１０よりも裏面１１０Ｂからの高さが高くなるようにそれぞれ設けられている。
図３１は、図３０の切断線Ａ−Ａ及びＢ−Ｂにおけるフェース部１１０の断面を示す図である。肉厚部３０１、３０２Ｒ、３０２Ｌは、図３１（ａ）に示すとおり、裏面１１０Ｂからの高さがＴ１となるような厚さで設けられている。また、肉厚部３０４Ｒ、３０４Ｌ、３０６は、肉厚部３０２Ｒ、３０２Ｌと裏面１１０Ｂからの高さが同じである。一方、肉厚部３０８、３１０は、図３１（ｂ）に示すとおり、裏面１１０Ｂからの高さがいずれもＴ２となるような厚さで設けられている。これらの高さは、高さＴ１の方が高さＴ２よりも高いという関係にある。つまり、肉厚部３０１、３０２Ｒ、３０２Ｌ、３０４Ｒ、３０４Ｌ、３０６は、肉厚部３０８、３１０よりも厚みを持たせて設けられている。
【符号の説明】
【００６３】
１０…ゴルフクラブ、１００…ゴルフクラブヘッド、１０２…クラブシャフト、１０４…シャフトグリップ、１１０…フェース部、１２０…クラウン部、１３０…ソール部、１４０…トウ部、１５０…ヒール部、１６０…ホーゼル、２００…質量部、３００…リブ
【図１】
2012071111.tif 000003
【図２】
2012071111.tif 000004
【図３】
2012071111.tif 000005
【図４】
2012071111.tif 000006
【図５】
2012071111.tif 000007
【図６】
2012071111.tif 000008
【図７】
2012071111.tif 000009
【図８】
2012071111.tif 000010
【図９】
2012071111.tif 000011
【図１０】
2012071111.tif 000012
【図１１】
2012071111.tif 000013
【図１２】
2012071111.tif 000014
【図１３】
2012071111.tif 000015
【図１４】
2012071111.tif 000016
【図１５】
2012071111.tif 000017
【図１６】
2012071111.tif 000018
【図１７】
2012071111.tif 000019
【図１８】
2012071111.tif 000020
【図１９】
2012071111.tif 000021
【図２０】
2012071111.tif 000022
【図２１】
2012071111.tif 000023
【図２２】
2012071111.tif 000024
【図２３】
2012071111.tif 000025
【図２４】
2012071111.tif 000026
【図２５】
2012071111.tif 000027
【図２６】
2012071111.tif 000028
【図２７】
2012071111.tif 000029
【図２８】
2012071111.tif 000030
【図２９】
2012071111.tif 000031
【図３０】
2012071111.tif 000032
【図３１】
2012071111.tif 000033